(57)【要約】  【課題】種々の形状の下地を苔で綺麗に覆うことでのできる苔活着物体の製造方法を提供する。  【解決手段】苔活着物体の製造方法は、土を落とした苔を粉砕して苔粉を生成する苔粉砕工程と、苔粉を和紙及び水と混合し、和紙が和紙繊維に分解されるまで水を掻き混ぜる掻き混ぜ工程と、水の中から苔粉が絡んだ和紙繊維を掬って取り出す掬い取り工程と、掬った苔粉保持和紙繊維薄片を下地の苔活着領域内の所定の場所に貼り付ける貼り付け工程と、を有し、掬い取り工程と貼り付け工程とを繰り返しながら、苔粉保持和紙繊維薄片を苔活着領域の下方から上方へと一部重畳させながら貼り付けることで、下地の苔活着領域全体を苔粉保持和紙繊維で覆う苔貼付工程と、苔活着領域全体の苔粉保持和紙繊維に給水する水遣り工程と、を備える。【選択図】図１
2020092677.tif 000002
【特許請求の範囲】
【請求項１】
活着した苔により多孔質の立体物である下地を覆った苔活着物体を製造する苔活着物体の製造方法において、
土を落とした苔を粉砕して苔粉を生成する苔粉砕工程と、
前記苔粉を和紙及び水と混合し、前記和紙が和紙繊維に分解されるまで前記水を掻き混ぜる掻き混ぜ工程と、
前記水の中から前記苔粉が絡んだ前記和紙繊維を掬って取り出す掬い取り工程と、掬った苔粉保持和紙繊維薄片を前記下地の苔活着領域内の所定の場所に貼り付ける貼り付け工程と、を有し、前記掬い取り工程と前記貼り付け工程とを繰り返しながら、前記苔粉保持和紙繊維薄片を前記苔活着領域の下方から上方へと一部重畳させながら貼り付けることで、前記下地の前記苔活着領域全体を苔粉保持和紙繊維で覆う苔粉貼付工程と、
前記苔活着領域全体の前記苔粉保持和紙繊維に給水する水遣り工程と、
を備えることを特徴とする苔活着物体の製造方法。
【請求項２】
前記水遣り工程は、前記苔粉が発芽するまで、1日6時間以上毎日行うことを特徴とする請求項１記載の苔活着物体の製造方法。
【請求項３】
前記水遣り工程は、前記下地の上方に位置する貯水容器から、一方の端部が前記下地の上部の前記苔粉保持和紙繊維に接触すると共に、他方の端部が前記貯水容器の水中に位置する給水用苔接触媒体を介して、表面張力と重力とにより前記苔粉保持和紙繊維に水を供給する工程であることを特徴とする請求項１又は２記載の苔活着物体の製造方法。
【請求項４】
前記和紙は、小片に千切られていることを特徴とする請求項１乃至３何れか１項記載の苔活着物体の製造方法。
【請求項５】
前記掬い取り工程は、櫛で掬って取り出すことで、前記櫛の隙間から余剰の水が落下しながら前記和紙繊維を掬う工程であることを特徴とする請求項１乃至４何れか１項記載の苔活着物体の製造方法。
【発明の詳細な説明】
【技術分野】
【０００１】
本発明は、立体物である下地を苔により覆った苔活着物体に関する。
【背景技術】
【０００２】
従来から、緑化や鑑賞のために、苔を建物の壁面や屋上、立体造形物等に貼り付けて生育することが行われているが、苔を直接物体等の下地の表面に根付かせて育成するのは容易ではなない。
【０００３】
このため、苔をシート状の培地上で予め育成した苔シートが提供されており、苔シートを物体等の表面に貼り付けることで、比較的容易に物体等の表面を苔で覆うことができる。このような苔シートは、例えば、下記特許文献１〜４に開示されている。
【先行技術文献】
【特許文献】
【０００４】
【特許文献１】特開２０１４−９０７０２号公報
【特許文献２】特開２００２−３６００６０号公報
【特許文献３】特開２００６−２３０３２６号公報
【特許文献４】特開２０１４−２２６０７８号公報
【発明の概要】
【発明が解決しようとする課題】
【０００５】
しかし、苔シートはシート形状であるため、下地が曲率半径の小さな曲面を有する場合には、シートを綺麗に貼るのが難しい。特に、苔シートを貼付する下地の形状が複雑な場合には、苔シートを貼ること自体が難しい。
【０００６】
本発明は、このような課題に鑑みてなされたものであり、種々の形状の下地を苔で綺麗に覆うことでのできる苔活着物体の製造方法を提供することを目的とする。
【課題を解決するための手段】
【０００７】
上記課題を解決するために、本発明に係る苔活着物体の製造方法は、活着した苔により多孔質の立体物である下地を覆った苔活着物体を製造する苔活着物体の製造方法において、土を落とした苔を粉砕して苔粉を生成する苔粉砕工程と、前記苔粉を和紙及び水と混合し、前記和紙が和紙繊維に分解されるまで前記水を掻き混ぜる掻き混ぜ工程と、前記水の中から前記苔粉が絡んだ前記和紙繊維を掬って取り出す掬い取り工程と、掬った苔粉保持和紙繊維薄片を前記下地の苔活着領域内の所定の場所に貼り付ける貼り付け工程と、を有し、前記掬い取り工程と前記貼り付け工程とを繰り返しながら、前記苔粉保持和紙繊維薄片を前記苔活着領域の下方から上方へと一部重畳させながら貼り付けることで、前記下地の前記苔活着領域全体を苔粉保持和紙繊維で覆う苔粉貼付工程と、前記苔活着領域全体の前記苔粉保持和紙繊維に給水する水遣り工程と、を備えることを特徴とする。
【発明の効果】
【０００８】
本発明に係る苔活着物体の製造方法によれば、種々の形状の下地を苔で綺麗に覆うことでのできる苔活着物体を製造することができる。
【図面の簡単な説明】
【０００９】
【図１】図１は、本発明の実施形態に係る苔活着物体の製造方法のフローチャートである。
【図２】図２は、本発明の実施形態に係る苔粉保持和紙繊維薄片の貼り付け工程を説明するための模式図である。
【図３】図３は、本発明の実施形態に係る下地に苔粉保持和紙繊維薄片を貼り付けた状態の断面図である。
【図４】図４は、本発明の実施形態に係る第一水遣り工程を説明するための模式図である。
【発明を実施するための形態】
【００１０】
以下、図面を参照しながら本発明の実施形態について説明する。本実施形態では、素焼きの焼き物を下地（被活着物体）とし、うさぎ形状の素焼きの表面を覆うように苔を活着させる場合について説明する。
【００１１】
図１に示すように、まず、Ｓ１において、苔を水で洗って土を落とす。本実施形態で使用する苔は、蘚類のギンゴケである。なお、本実施形態において、苔は、苔類、蘚類、ツノゴケ類を含むものとし、ギンゴケ以外のミズゴケ、ゼニゴケ、ツノゴケ等、適宜他の苔を用いることができる。
【００１２】
続いて、Ｓ２において、ミキサーを用いて苔を粉砕して苔粉を生成する。具体的には、苔に対して、質量比で１：１の水を加えて、ミキサーに入れて苔を細かく破砕する。粉砕時間は、10〜20秒程度で十分である。
【００１３】
Ｓ２では、水を加える代わりに、苔を乾燥させてミキサーにかけることでも苔粉に粉砕できる。また、加える水の量も適宜変更可能である。また、苔を粉砕する器具もミキサー以外の包丁等で切断しても良いし、すり鉢や石臼等ですり潰しても良い。但し、苔粉が小さくなると、発芽までの期間が長くなるので留意する必要がある。
【００１４】
このように、苔粉とすることで、下地２の苔が活着される領域である苔活着領域全体において、満遍なく一様に発芽させることができる。一方、苔を粉砕しないで下地２の表面に貼付する場合には、局所的に発芽してしまい、この局所的な発芽部分が突起部となって剥がれ易くなってしまう。
【００１５】
続いて、Ｓ３において、苔粉と、和紙を手で数cmの破片に千切った千切り和紙と、水とを混合する。混合する水の量は、例えば、苔粉に体積比3倍の水を混合すれば良いが、後述するＳ４において、千切り和紙を繊維状に分解できる量であれば、混合する水の量は適宜変更可能である。
【００１６】
Ｓ３において、和紙をハサミ等の刃物で切断すると、和紙繊維が短くカットされてしまい、後述する和紙繊維による苔粉の保持機能が弱くなるので、望ましくない。すなわち、Ｓ３では、和紙を引っ張るなどして千切ることで、和紙を小片に分割するのが望ましい。
【００１７】
但し、和紙の繊維が短くならないのであれば、千切る以外の方法で分割しても良く、また、後述するＳ４の掻き混ぜ工程において、掻き混ぜることで和紙を繊維状に分解できるのであれば、Ｓ３においては、分割せずに原サイズの和紙をそのまま混合しても良い。
【００１８】
続いて、Ｓ４において、この水の中の苔粉と千切り和紙との混合物を箸等で掻き混ぜる。このとき、和紙を繊維状に分解しつつ、和紙繊維が切れない程度にゆっくりと時間をかけて掻き混ぜる。
【００１９】
この掻き混ぜ工程では、和紙が繊維状にバラバラになるまで行い、例えば、20分程度掻き混ぜることで、和紙を繊維状に分解することができる。Ｓ４の掻き混ぜ工程後には、水の中に小塊状の和紙繊維や苔粉が大量に浮遊している状態となり、このとき、苔粉の大部分は和紙繊維に絡まって保持された状態となっている。
【００２０】
次に、Ｓ５では、苔粉を下地２の苔活着領域に貼り付ける苔粉貼付工程を行う。具体的には、水の中から苔粉が絡んで保持された和紙繊維薄片５を掬い取り（掬い取り工程）、この苔粉保持和紙繊維薄片５を下地２に順次貼り付ける（貼り付け工程）作業を繰り返すことで、苔粉が和紙繊維と共に下地２の表面に貼付される。
【００２１】
掬い取り工程では、櫛を使って苔粉を保持する保持和紙繊維を掬い取ることで、櫛の隙間から余剰水が滴り落ち、櫛の上面に適度な水を含む苔粉保持和紙繊維の薄片が載った状態となる。貼り付け工程では、この苔粉保持和紙繊維薄片５を順次下地２の苔活着領域に貼り付ける。
【００２２】
掬い取り工程と貼り付け工程とを繰り返し、下地２の苔活着領域全体を苔粉保持和紙繊維薄片５で覆うことで、苔粉を下地２の苔活着領域全体に貼付することができる。ここで、図２及び図３に示すように、貼り付け工程では、隣接する苔粉保持和紙繊維薄片５を一部重畳させながら、下地２の下方から上方へと苔粉保持和紙繊維薄片５を順次貼り付ける。
【００２３】
すなわち、苔活着領域の最下段の表面全体に苔粉保持和紙繊維薄片５を貼り付けてから、二段目に苔粉保持和紙繊維薄片５を貼り付ける、というように、順次上方へ一段ずつ塗布していく。このように、和紙繊維の薄片の貼り付けであれば、曲率半径の大きな曲面等であっても容易に貼り付けることができ、種々の形状に対応できる。
【００２４】
苔粉保持和紙繊維薄片５を下地２に貼り付けた当初は、苔粉保持和紙繊維薄片５が多量の水を含んでいるため、この水が素焼きである下地２の多数の細孔内に吸水されるため、表面張力等により、苔粉保持和紙繊維薄片５は下地２の表面に強く吸着し、容易には剥がれない。
【００２５】
一方、時間の経過により、苔粉保持和紙繊維薄片５が乾燥して水分が失われてくると、表面張力が弱くなるため、苔粉保持和紙繊維薄片５は少しずつ剥がれ易くなる。特に、下地２の垂直な表面に貼られている苔粉保持和紙繊維薄片５は、自重によりその上部から捲れて剥がれる場合が多い。
【００２６】
これに対して、一部重畳させながら、下方から上方へと苔粉保持和紙繊維薄片５を順次貼っていくことで、乾燥して水分が少なくなっても、苔粉保持和紙繊維薄片５の上部が上方に隣接する苔粉保持和紙繊維薄片５の下部で覆われて抑えられているため、いったん貼り付けられた苔粉保持和紙繊維薄片５が上端から剥がれるのを防止することができる。
【００２７】
Ｓ５において、掬い取り工程と貼り付け工程とを繰り返し、苔粉を下地２の苔活着領域全体に貼付し終え、苔活着領域全体を苔粉保持和紙繊維６により覆うと、続いて、Ｓ６へと進み、第一水遣り工程を行う。第一水遣り工程では、苔粉が発芽するまで、毎日6時間以上、苔粉保持和紙繊維６の全体に水が行き渡るように給水を行う。
【００２８】
このとき、苔粉保持和紙繊維６は、下地２表面に貼り付けられているだけであり、発芽も活着もしていないため、剥がれ易い状態である。したがって、給水の際に勢い良く水が苔粉保持和紙繊維６の表面に衝突すると、その部分の和紙繊維が苔粉と一緒に剥がれてしまう。
【００２９】
したがって、Ｓ６では、水を直接苔粉保持和紙繊維６に対して放水するのではなく、給水用苔接触媒体を介して、表面張力を利用しながら水をゆっくりと供給している。具体的には、図４に示すように、下地２よりも上方に置かれた貯水トレイ１０から給水用苔接触媒体であるリボン１２を介して、水の表面張力及び重力により給水を行っている。
【００３０】
リボン１２は、同じ形状のナイロン製帯状リボンを2枚重ねたものであり、一端が貯水トレイ１０内の水中に位置し、他端が下地２の上部を覆う苔粉保持和紙繊維６に接触している。
【００３１】
一端が貯水トレイ１０内の水中に位置するリボン１２は、貯水トレイ１０の側壁の上方を通る際に一端よりも高い位置を通過し、その後、下方の下地２へと向かっている。貯水トレイ１０内の水は、表面張力によりリボン１２の最上部（側壁部分）へと上昇し、最上部を通過後は表面張力及び自重により下方の他端へと向かって進み、他端が接触する苔粉保持和紙繊維６へと到達する。
【００３２】
また、下地２の上部の苔粉保持和紙繊維６に到達した水は、表面張力や重力により、苔粉保持和紙繊維６内を伝って苔活着領域全体へ行き渡り、苔活着領域全体の苔粉へと給水される。
【００３３】
このように、苔粉保持和紙繊維６に接触するリボン１２を介して、給水を行う場合には、苔粉に対して、水が勢い良くぶつかることなく、リボン１２を介して少量ずつゆっくりと供給されるので、苔が剥がれることなく、適切に給水を継続することができる。
【００３４】
Ｓ６の第一水遣り工程を継続し、苔活着領域全体の苔粉が適度な湿潤状態に置かれると、通常、14日程度で苔活着領域全体にわたって苔粉が発芽する（Ｓ７）。なお、苔活着領域全体の苔粉を適度な湿潤状態に置くためには、上述したように1日6時間以上、第一水遣り工程による給水を行う必要がある。
【００３５】
苔粉が発芽すると、発芽後の苔粉が必要な給水量は減るため、Ｓ７の後は、Ｓ８の第二水遣り工程へと移行する。Ｓ８の第二水遣り工程では、通常の植物と同様に、1日に1回適量の水遣りを行えば良い。本実施形態では、第一水遣り工程（Ｓ６）と同様に、リボン１２を使って、1日1時間給水を行う。
【００３６】
なお、苔粉の発芽後は、苔粉保持和紙繊維６の繋がりが徐々に強くなり、下地２から剥がれにくくなるため、短時間であればホース等から直接水を放水して給水するようにしても良い。
【００３７】
Ｓ８の第二水遣り工程を継続し、発芽した苔粉の根が下地２の多孔質内にも入り込んで、下地２に対して苔が根づいて活着すれば（Ｓ９）、苔が下地２に対して安定するので、出荷可能な苔活着物体１の製造が完了する。例えば、第二水遣り工程を2ヶ月程度継続すると、苔活着領域全体にわたって苔が下地２に活着し、苔の成育が安定する。
【００３８】
以上、本実施形態によれば、苔粉保持和紙繊維薄片５を順次下方から下地２に対して貼り付けており、種々の形状の下地２を苔で綺麗に覆うことができる。また、苔粉保持和紙繊維薄片５を貼り付けた後発芽するまで、給水用苔接触媒体を介して、表面張力及び重力により少しずつゆっくりと苔粉に給水しており、下地２に貼り付けられた和紙繊維が剥がれるのを防止しながら給水を行うことができ、綺麗な苔活着物体１を製造することができる。
【００３９】
以上、本実施形態について説明したが、本発明の実施の形態は上述した実施の形態に限定されるものではなく、本発明の主旨を逸脱しない範囲内で種々の変形が可能である。
【００４０】
例えば、上記実施形態では、下地を素焼きの焼き物としたが、下地としては、釉薬をかけず高温で焼成した焼締め等、多孔質の焼き物であれば使用することができ、コンクリート、モルタル、軽石等の多孔質の石でも良い。すなわち、表面が多孔質の立体物であれば、苔が活着可能であり、下地として用いることができる。
【００４１】
また、上記実施形態では、第一水遣り工程の水遣りは、給水用苔接触媒体を介して、表面張力及び重力により給水しているが、苔粉保持和紙繊維に衝撃を与えない給水方法であれば、適宜他の方法を採用することができる。例えば、下地の周囲に噴霧装置を設置し、霧の中に下地を位置させることで、噴霧により給水するようにしても良い。
【符号の説明】
【００４２】
１    苔活着物体
２    下地
５    苔粉保持和紙繊維薄片
６    苔粉保持和紙繊維
１０  貯水トレイ
１２  リボン
【図１】
2020092677.tif 000003
【図２】
2020092677.tif 000004
【図３】
2020092677.tif 000005
【図４】
2020092677.tif 000006